(57)【特許請求の範囲】
【請求項１】
容器本体（１）の開口部を閉塞する蓋体（２）が設けられ、
該蓋体（２）は、開口部の所定領域を開閉できるように、容器本体（１）に固定された固定部（２ｂ）と、蓋体（２）を横断するヒンジ部（５）で固定部（２ｂ）と区分され且つ該ヒンジ部（５）を起点として開閉可能な可動部（２ａ）とを備えると共に、容器本体（１）の開口縁部にヒートシールにより接着されて開口部を密封し、
可動部（２ａ）は、開口縁部に剥離可能にヒートシールされると共に、可動部（２ａ）及び固定部（２ｂ）の裏面側に設けられる凸部（７，７）が容器本体（１）の開口部の内側に嵌合することにより、その閉状態が維持されるよう構成されている包装容器において、
蓋体（２）全体が容器本体（１）から取り外し可能とすべく、固定部（２ｂ）も開口縁部に剥離可能にヒートシールされる一方、
蓋体（２）が可動部（２ａ）側から剥離された際に固定部（２ｂ）側への剥離の進行を停止させるべく、固定部（２ｂ）のヒンジ部（５）近傍には、他の部分よりも強く接着された強接着部（９）が設けられ、
蓋体（２）は、可動部（２ａ）の開状態が維持されるべく、可動部（２ａ）側に、嵌合凸部（１０）を備えると共に、固定部（２ｂ）側に、可動部（２ａ）の開状態で嵌合凸部（１０）に嵌入される嵌合凹部（１１）を備え、
嵌合凹部（１１）は、固定部（２ｂ）の凸部（７）に対応して形成される表面側の凹部（４）であることを特徴とする包装容器。
【請求項２】
蓋体（２）が可動部（２ａ）側から剥離された際に固定部（２ｂ）側への剥離の進行を停止させるべく、ヒンジ部（５）の両端部には切込部が設けられている請求項１記載の包装容器。
【発明の詳細な説明】
【０００１】
【発明の属する技術分野】
本発明は、菓子等の食品や薬品、日用品等の種々の被包装物を収容する包装容器に関する。
【０００２】
【従来の技術】
従来、この種の包装容器としては、被包装物を収容する容器本体と、該容器本体の開口部を閉塞する蓋体とを備え、該蓋体は、固定部と、蓋体を横断するヒンジ部で固定部と区分され且つ該ヒンジ部を起点として開閉可能な可動部とを備えているものが公知である。そして、固定部及び可動部には各々容器本体の開口部と嵌合する嵌合部が設けられ、固定部はその嵌合部で容器本体に固定され、可動部は嵌合部が容器本体に嵌合することでその閉状態が維持される構成となっている。
【０００３】
かかる包装容器では、可動部の開閉動作によって、開口部のうちの所定領域のみを自在に開閉できるうえに、しかも、可動部に嵌合部が設けられているため、繰り返して開口部を閉塞することができるという利点がある。
【０００４】
【発明が解決しようとする課題】
しかるに、該包装容器にあっては、嵌合部の嵌合のみで蓋体の容器本体への装着状態が維持される構成であるため、開口部が蓋体で密封されず、密封性を要求する被包装物の収容には適さない。
【０００５】
そこで本発明は、上記従来の問題点に鑑みてなされ、被包装物を密封包装することができ、しかも、開封後における蓋体の繰り返しの開閉性にも優れる包装容器を提供することを課題とする。
【０００６】
【課題を解決するための手段】
本発明は、上記課題を解決すべくなされたものであり、本発明に係る包装容器は、容器本体１の開口部を閉塞する蓋体２が設けられ、該蓋体２は、開口部の所定領域を開閉できるように、容器本体１に固定された固定部２ｂと、蓋体２を横断するヒンジ部５で固定部２ｂと区分され且つ該ヒンジ部５を起点として開閉可能な可動部２ａとを備えると共に、容器本体１の開口縁部にヒートシールにより接着されて開口部を密封し、可動部２ａは、開口縁部に剥離可能にヒートシールされると共に、可動部２ａ及び固定部２ｂの裏面側に設けられる凸部７，７が容器本体１の開口部の内側に嵌合することにより、その閉状態が維持されるよう構成されている包装容器において、蓋体２全体が容器本体１から取り外し可能とすべく、固定部２ｂも開口縁部に剥離可能にヒートシールされる一方、蓋体２が可動部２ａ側から剥離された際に固定部２ｂ側への剥離の進行を停止させるべく、固定部２ｂのヒンジ部５近傍には、他の部分よりも強く接着された強接着部９が設けられ、蓋体２は、可動部２ａの開状態が維持されるべく、可動部２ａ側に、嵌合凸部１０を備えると共に、固定部２ｂ側に、可動部２ａの開状態で嵌合凸部１０に嵌入される嵌合凹部１１を備え、嵌合凹部１１は、固定部２ｂの凸部７に対応して形成される表面側の凹部４であることを特徴とする。
【０００７】
該包装容器にあっては、蓋体２が容器本体１の開口縁部にヒートシールにより接着されているので、開封前における開口部の密封性が確保される。そして、可動部２ａが剥離可能にヒートシールされているので、該可動部２ａをヒンジ部５まで剥離して開封することができる。また、固定部２ｂがヒートシールにより容器本体１に接着されているため、開封後において可動部２ａをスムーズに開閉することができ、可動部２ａを容器本体１に嵌合させて所定領域を閉じることができる。
【０００８】
尚、固定部２ｂも剥離可能にヒートシールしておくと、例えば、被包装物の取り出し完了後において蓋体２全体を容器本体１から取り外すことができる。
【０００９】
このように、固定部２ｂのヒンジ部５近傍に他の部分よりも開口縁部と強く接着された強接着部９を設けることにより、包装容器を開封する際に、ヒンジ部５まで可動部２ａのみをより確実に且つ容易に剥離することができる。また、本発明に係る包装容器においては、蓋体２が可動部２ａ側から剥離された際に固定部２ｂ側への剥離の進行を停止させるべく、ヒンジ部５の両端部に切込部を設けられていてもよい。尚、切込部は、切欠部も含む概念である。
【００１１】
【発明の実施の形態】
以下、本発明の包装容器の一実施形態について図１乃至図３を参酌しつつ、被包装物を収容すべく上面が開口した有底筒状の容器本体１と、該容器本体１の開口部を閉塞すべく容器本体１に装着された蓋体２とを備えた包装容器について説明する。
【００１２】
容器本体１は、蓋体２とヒートシール可能なプラスチックシートから真空成形若しくは圧空成形により形成されている。該プラスチックシートとしては、例えば、ポリプロピレン系のプラスチックシートや、表面がポリプロピレン系樹脂で中間にエチレンビニルアルコール共重合体等のガスバリアー層を積層したシートが好ましいが、ポリエステル、ポリスチレンやポリエチレン等の単層や多層のプラスチックシートが使用できる。尚、ポリプロピレン系樹脂等の射出成形としてもよい。
そして、開口縁部には外側に向けてフランジ部３が周設され、該開口縁部に前記蓋体２がヒートシールにより接着されている。即ち、本実施形態ではフランジ部３の上面全周に蓋体２がヒートシールされることで容器本体１の開口部が密封状態となっている。
【００１３】
かかる蓋体２は、プラスチックシートからシート成形により形成されたもので、該プラスチックシートは、シート成形可能な厚さ０．３ｍｍ乃至２．０ｍｍ程度の単層あるいは多層の種々のシートを採用でき、少なくとも、裏面側が容器本体１とヒートシール可能に構成されている。本実施形態では、ポリプロピレン系樹脂からなるシート基材に、ポリプロピレン系イージーピールシーラント層を積層した多層シートを採用しており、該イージーピールシーラント層（ヒートシール後に剥離可能あるいは破壊可能となるシーラント層）が裏面側となるように、シート成形によって表裏方向に凹凸が形成されて容器本体１のフランジ部３上面にヒートシールされる。
【００１４】
該イージーピールシーラント層は、ポリプロピレン系樹脂にポリエチレン系樹脂やポリスチレン系樹脂等が含有された単層のものや、１乃至数μｍの層間剥離可能な接着層を積層した多層のものであり、これにより、ポリプロピレン系樹脂単体のシーラント層と比較してシール力が低下し、ヒートシール後において剥離可能となる。即ち、蓋体２は容器本体１に剥離可能にヒートシールされている。
【００１５】
また、この蓋体２は、平面視略円形状を呈し、シート成形によって表面側に開口する略半円状の凹部４，４が互いに対向して二箇所形成され、両凹部４，４の境界には蓋体２を横断するように表面側に凸のヒンジ部５が形成されている。即ち、該ヒンジ部５によって蓋体２は二分され、その一方は、容器の開封後においてヒンジ部５を起点として開閉可能となる可動部２ａで、他方は可動部２ａの開閉の際に容器本体１に対して固定状態となる固定部２ｂである。尚、可動部２ａには、ヒンジ部５と反対側の位置に、外周から突設した開封用の摘み部６が形成されている。
【００１６】
また、シート成形による両凹部４，４の形成に対応して、可動部２ａ側と固定部２ｂ側の裏面側には各々凸部７，７が形成され、両凸部７，７の外周側の側面には、外側に僅かに突出した嵌合突出部７ａが複数形成されている。該嵌合突出部７ａが容器本体１の開口部の内側に嵌合する嵌合部である。尚、嵌合突出部７ａを設けずに凸部７（外周側の側面）が直接開口部の内側に嵌合する構成としてもよい。
【００１７】
更に、図１及び図３の如く、ヒンジ部５の両端部には各々切欠部８が形成されている。また、開口縁部にヒートシールされたシール部分のうち、固定部２ｂ側のシール部分には、ヒンジ部５近傍位置に他の部分よりも強く接着された強接着部９（図１及び図３のクロスハッチ部分）が設けられている。該強接着部９は、前記切欠部８の固定部２ｂ側近傍に設けられ、他のシール部分よりも相対的に高温高圧でヒートシールされている。
【００１８】
尚、ヒンジ部５を境として、その可動部２ａ側には嵌合凸部１０が、固定部２ｂ側には嵌合凹部１１が各々形成され、可動部２ａをヒンジ部５を起点として上方に回動させて固定部２ｂの上方に重ね合わせた際に、嵌合凸部１０が嵌合凹部１１に嵌入して可動部２ａの開状態が維持できる。尚、嵌合凸部１０と嵌合凹部１１はヒンジ部５に沿って所定間隔離間して一対設けられている。
【００１９】
以上のように構成された包装容器にあっては、一枚のシートから容易に蓋体２を成形によって形成することができ、該蓋体２が容器本体１にヒートシールされているので開封前において開口部の密封状態を得られ、従って、高い密封性が要求される被包装物も完全密封包装することができる。
【００２０】
しかも、蓋体２を剥離可能にヒートシールしているので、蓋体２を剥離することで容器を容易に開封することができる。その際、摘み部６を摘んで可動部２ａを上方に向けて引っ張ると、摘み部６近傍から順にヒンジ部５へ向けてシール部分が剥離していき、ヒンジ部５の両端部まで剥離が進むと、その位置には切欠部８が設けられているので、その切欠部８で剥離の進行が停止する。従って、可動部２ａのみをヒンジ部５まで容易に剥離することができ、固定部２ｂはそのままフランジ部３にヒートシールされた状態で残る。しかも、切欠部８で仮に剥離の進行を停止できなかった場合でも、その固定部２ｂ側には剥離ストッパーとして強接着部９が近設されているので、その強接着部９によって確実に剥離を停止することができ、蓋体２全体の剥離を防止する。
【００２１】
このように、可動部２ａのみを剥離して開封した後は、可動部２ａの開閉動作によって開口部の所定領域のみの開閉が自在にできるが、固定部２ｂが嵌合によって容器本体１に固定されている従来のものとは異なり、固定部２ｂが容器本体１に接着固定されているので、可動部２ａを開け閉めする際に固定部２ｂに力が作用しても、固定部２ｂの固定状態が維持される。特に、可動部２ａは、その裏面側の凸部７の嵌合突出部７ａが開口部の内側に嵌合することによって、その閉状態が維持される構成なるため、可動部２ａを開ける時には嵌合状態を解除する力が可動部２ａを介して固定部２ｂに作用する。しかし、固定部２ｂは、裏面側の凸部７の嵌合力のみならず、ヒートシールによる接着力によって容器本体１に固定されているため、可動部２ａを開くときにその力が固定部２ｂに作用しても剥離せずに十分に固定状態が維持される。また、仮に強く引っ張っても、切欠部８と強接着部９によって固定部２ｂの剥離が未然に防止される。
【００２２】
尚、図２に二点破線にて示す如く、可動部２ａの開状態は嵌合凸部１０の嵌合凹部１１への嵌入で維持されるので、可動部２ａを手で押さえなくとも、開口から被包装物を容易に所望量取り出すことができる。また、可動部２ａの閉状態は、裏面側の凸部７の嵌合突出部７ａが開口部の内側に嵌合することで維持されるので、不用意に可動部２ａが開くことを防止できる。
このように、開封後において可動部２ａを繰り返し開閉しても、切欠部８と強接着部９とによって固定部２ｂの剥離が防止されるのである。
【００２３】
更に、切欠部８と強接着部９とで固定部２ｂの不用意な剥離を防止しているが、固定部２ｂは剥離不能ではなく剥離可能にヒートシールされているので、例えば、容器本体１から被包装物を全て取り出した後には、固定部２ｂを剥離して蓋体２全体を容器本体１から取り外すことも可能である。
【００２４】
尚、図４の如く、凹状のヒンジ部５の両端部に切込部１２，１２を設けて固定部２ｂ側への剥離の進行を阻止してもよい。尚、図４の構成においても、同様に裏面側には固定部２ｂと可動部２ａに容器本体１の開口部の内側に嵌合する嵌合部としての凸部７が各々形成されているが、図５（イ）の如く、その凸部７の表面側の凹部４に可動部２ａの嵌合凸部１０が嵌入して可動部２ａの開状態を保持する構成としてもよい。
【００２５】
また、上記説明では、蓋体２の裏面全体にイージーピールシーラント層を設けて可動部２ａのみならず固定部２ｂも剥離可能にヒートシールされる構成としたが、裏面に部分的にイージーピールシーラント層を設けてもよい。即ち、可動部２ａ側にのみイージーピールシーラント層としてヒートシール剤等をパートコートして、固定部２ｂ側を剥離不能にヒートシールし、可動部２ａ側を剥離可能にヒートシールする構成としてもよい。尚、裏面全体にイージーピールシーラント層を設けた場合でも、可動部２ａ側より固定部２ｂ側を高温高圧でヒートシールする等によって、固定部２ｂ側の接着力を可動部２ａのそれよりも大きくすることも可能で、これにより、固定部２ｂの剥離が抑制され、可動部２ａの開閉がスムースになる。
【００２６】
また、上述では、蓋体２側にイージーピールシーラント層を設けているが、容器本体１側にイージーピールシーラント層を設けてもよく、蓋体２と容器本体１とのシール部分が剥離可能にヒートシール可能な材質であればイージーピールシーラント層を設けなくてもよい。
【００２７】
更に、容器本体１の形状も例えば開口縁部にフランジ部３を設けない構成とする等、種々の構成とすることができ、また、固定部２ｂや可動部２ａの容器本体１との嵌合についても、蓋体２が開口部の外側に外嵌する構成としてもよい。更に、可動部２ａの個数も限定されず、例えば、固定部２ｂの両側に各々ヒンジ部５を介して可動部２ａを設けてもよい。
【００２８】
【発明の効果】
以上のように、蓋体をヒートシールにより接着したことで被包装物を密封包装でき、従来の嵌合のものに比して高い密封性が得られ、しかも、可動部を剥離して開封した後は該可動部を容器本体に嵌合させて閉めることができるので、開封後における蓋体の繰り返しの開閉性にも優れる包装容器が得られる。
【図面の簡単な説明】
【図１】本発明の一実施形態の包装容器を示す斜視図。
【図２】同実施形態の包装容器の断面図。
【図３】同実施形態の包装容器の要部を示す部分拡大平面図。
【図４】他実施形態の包装容器の蓋体を示す平面図。
【図５】同蓋体を示し、（イ）は図４のＡ−Ａ線端面図、（ロ）は可動部の開状態を示した図。
【符号の説明】
１…容器本体、２…蓋体、２ａ…可動部、２ｂ…固定部、３…フランジ部、４…凹部、５…ヒンジ部、６…摘み部、７…凸部（嵌合部）、７ａ…嵌合突出部（嵌合部）、８…切欠部（切込部）、９…強接着部、１０…嵌合凸部、１１…嵌合凹部、１２…切込部
【図１】
0004527223.tif 000002
【図２】
0004527223.tif 000003
【図３】
0004527223.tif 000004
【図４】
0004527223.tif 000005
【図５】
0004527223.tif 000006